(57)【要約】【課題】間引かれた画像内の文字画像の劣化を簡単な方法で改善することができる画像処理装置を提供する。【解決手段】間引かれた画像を有する動画データの画像処理装置において，動画データに含まれるフレーム画像の画素毎の輝度がスキャン方向において所定の閾値以上変化する領域を抽出する輝度変化抽出部と，輝度変化抽出部により抽出された領域の画像信号を平滑化処理する平滑化フィルタと，抽出された領域外ではフレーム画像の画素毎の平滑化処理されていない画像信号を，抽出された領域内では平滑化処理された画像信号をそれぞれ格納するフレームバッファとを有し，フレームバッファに格納された画像信号を表示装置に出力する。【選択図】図３
2008113124.tif 000002
【特許請求の範囲】
【請求項１】
間引かれた画像を有する動画データの画像処理装置において，
前記動画データに含まれるフレーム画像の画素毎の輝度がスキャン方向において所定の閾値以上変化する領域を抽出する輝度変化抽出部と，
前記輝度変化抽出部により抽出された領域の画像信号を平滑化処理する平滑化フィルタと，
前記抽出された領域外では前記フレーム画像の画素毎の平滑化処理されていない画像信号を，前記抽出された領域内では前記平滑化処理された画像信号をそれぞれ格納するフレームバッファとを有し，
前記フレームバッファに格納された画像信号を表示装置に出力することを特徴とする画像処理装置。
【請求項２】
請求項１において，
前記間引かれた画像を有する動画データは，地上波デジタル放送において１つのセグメントの周波数帯域で送出される放送用の動画データであり，
さらに，前記放送用の動画データを復号化して輝度信号と色差信号とを出力する復号部と，
前記輝度信号と色差信号とから複数の原色の画像信号とに変換する色変換部とを有し，
前記輝度変化抽出部は，前記輝度信号の変化を抽出し，前記輝度変化抽出部と色変換部とがそれぞれの処理を並列に行うことを特徴とする画像処理装置。
【請求項３】
請求項２において，
前記平滑化フィルタが前記色変換部から出力される原色の画像信号を常時平滑化処理し，
さらに，前記輝度変化抽出部が抽出した領域では，前記平滑化フィルタからの平滑化処理された画像信号を選択し，当該抽出された領域外では，前記色変換部からの画像信号を選択する選択手段を有することを特徴とする画像処理装置。
【請求項４】
間引かれた画像を有する動画データの画像処理プログラムにおいて，
コンピュータを，
前記動画データに含まれるフレーム画像の画素毎の輝度がスキャン方向において所定の閾値以上変化する領域を抽出する輝度変化抽出部と，
前記輝度変化抽出部により抽出された領域の画像信号を平滑化処理する平滑化フィルタと，
前記抽出された領域外では前記フレーム画像の画素毎の平滑化処理されていない画像信号を，前記抽出された領域内では前記平滑化処理された画像信号をそれぞれフレームバッファに格納する格納手段とに構築し，
前記フレームバッファに格納された画像信号が表示装置に出力されることを特徴とする画像処理プログラム。
【請求項５】
請求項４において，
前記間引かれた画像を有する動画データは，地上波デジタル放送において１つのセグメントの周波数帯域で送出される放送用の動画データであり，
さらに，前記コンピュータを，
前記放送用の動画データを復号化して輝度信号と色差信号とを出力する復号部と，
前記輝度信号と色差信号とから複数の原色の画像信号とに変換する色変換部とに構築し，
前記平滑化フィルタは，前記輝度変化抽出部が抽出した領域の画像信号を平滑化処理し，前記抽出した領域以外の画像信号は平滑化処理しないことを特徴とする画像処理プログラム。
【発明の詳細な説明】
【技術分野】
【０００１】
本発明は，動画データの画像処理装置に関し，特に，地上波デジタル放送におけるワンセグ放送の動画データを処理する画像処理装置に関する。
【背景技術】
【０００２】
地上波デジタル放送は，フルスペックのハイビジョン（高精細）画像データを１２セグメントの周波数帯域を利用して送出する。また，地上波デジタル放送では，携帯電話などの小型表示機器を有する移動体への放送受信を目的として，高精細画像データよりデータ量が少ない画像データが１セグメントの周波数帯域を利用して送出される。この放送は一般にワンセグ放送と称される。そして，放送局はフルスペックのハイビジョン画像データを間引いて画素数を減らした画像データを，ワンセグ放送用の画像データとして利用する。画素数を減らしてデータ量を減らすことで１セグメントの周波数帯域内で放送データを送出することが可能になり，小型表示機器の少ない解像度に適合した動画放送を実現できる。
【０００３】
ところで，画像内の文字領域を抽出し，抽出した文字からノイズを除去することが，特許文献１に記載されている。また，画素数が少ないテレビ用表示画面に画素数が多いコンピュータ用モニタ画面用に生成された文字を表示するために，文字ビットマップをフィルタリングし，それをテレビ用表示画面に表示することが特許文献２に記載されている。
【０００４】
上記の特許文献１，２は，目的が異なるものの，画像データから文字の領域の画像データを抽出し，それをフィルタリングしてノイズ除去などを行うものであり，文字領域の画像データの抽出または検出に複雑なアルゴリズムが必要になる。
【特許文献１】特開２００５−３３９５４７号公報
【特許文献２】特開２００１−５６６７３号公報
【発明の開示】
【発明が解決しようとする課題】
【０００５】
しかしながら，ワンセグ用の画像では，放送画像に挿入されるテロップの文字や，動画像中に存在するフリップ内の文字も同時に間引かれることになり，文字画像がひどく劣化することがある。特に，端末側の小さい表示画面内で文字画像を最大限に拡大した場合，この文字画像の劣化の度合いがひどくなる。
【０００６】
さらに，上記の特許文献１，２には，フルスペックのデジタル放送用動画データを間引きしたワンセグ放送用の動画データにおける文字画像の劣化については指摘されていない。
【０００７】
そこで，本発明の目的は，間引かれた画像内の文字画像の劣化を簡単な方法で改善することができる画像処理装置を提供することにある。
【課題を解決するための手段】
【０００８】
上記の目的を達成するために，本発明の第１の側面によれば，間引かれた画像を有する動画データの画像処理装置において，
前記動画データに含まれるフレーム画像の画素毎の輝度がスキャン方向において所定の閾値以上変化する領域を抽出する輝度変化抽出部と，
前記輝度変化抽出部により抽出された領域の画像信号を平滑化処理する平滑化フィルタと，
前記抽出された領域外では前記フレーム画像の画素毎の平滑化処理されていない画像信号を，前記抽出された領域内では前記平滑化処理された画像信号をそれぞれ格納するフレームバッファとを有し，
前記フレームバッファに格納された画像信号を表示装置に出力することを特徴とする。
【０００９】
上記の第１の側面において，好ましい態様によれば，前記間引かれた画像を有する動画データは，地上波デジタル放送において１つのセグメントの周波数帯域で送出される放送用の動画データであり，さらに，前記放送用の動画データを復号化して輝度信号と色差信号とを出力する復号部と，前記輝度信号と色差信号とから複数の原色の画像信号とに変換する色変換部とを有し，前記輝度変化抽出部は，前記輝度信号の変化を抽出し，前記輝度変化抽出部と色変換部とがそれぞれの処理を並列に行うことを特徴とする。
【００１０】
上記の目的を達成するために，本発明の第２の側面によれば，間引かれた画像を有する動画データの画像処理プログラムにおいて，
コンピュータを，
前記動画データに含まれるフレーム画像の画素毎の輝度がスキャン方向において所定の閾値以上変化する領域を抽出する輝度変化抽出部と，
前記輝度変化抽出部により抽出された領域の画像信号を平滑化処理する平滑化フィルタと，
前記抽出された領域外では前記フレーム画像の画素毎の平滑化処理されていない画像信号を，前記抽出された領域内では前記平滑化処理された画像信号をそれぞれフレームバッファに格納する格納手段とに構築し，
前記フレームバッファに格納された画像信号が表示装置に出力されることを特徴とする。
【００１１】
上記の第２の側面において，好ましい態様によれば，前記間引かれた画像を有する動画データは，地上波デジタル放送において１つのセグメントの周波数帯域で送出される放送用の動画データであり，さらに，前記コンピュータを，前記放送用の動画データを復号化して輝度信号と色差信号とを出力する復号部と，前記輝度信号と色差信号とから複数の原色の画像信号とに変換する色変換部とに構築し，前記平滑化フィルタは，前記輝度変化抽出部が抽出した領域の画像信号を平滑化処理し，前記抽出した領域以外の画像信号は平滑化処理しないことを特徴とする。
【発明の効果】
【００１２】
本発明によれば，ワンセグ放送用の画像のように，間引きされた画像内の急激な輝度変化のある領域にのみ平滑化処理を行うので，自然画像をぼけさせることなく文字画像や幾何学的模様などの画質を向上させることができる。
【発明を実施するための最良の形態】
【００１３】
以下，図面にしたがって本発明の実施の形態について説明する。但し，本発明の技術的範囲はこれらの実施の形態に限定されず，特許請求の範囲に記載された事項とその均等物まで及ぶものである。
【００１４】
図１は，本実施の形態における画像処理装置を有するワンセグ放送用のデジタル放送受信器の構成図である。アンテナ１０がワンセグ用放送電波を受信し，受信・復調部１２が検波及び復調し，トランスポートストリームＴＳと称されるストリーム形式のデジタル放送用のデータ信号を出力する。画像処理装置１４は，そのトランスポートストリームＴＳを音声データＡＣと動画データＭＶとに分離する分離部１６と，音声データＡＣを伸長を含む復号化処理を行って音声信号ＡＣ１を出力する音声復号部１８と，動画データＭＶを伸長を含む復号化処理する動画復号部２０と，動画復号部２０が復号化した動画データを色変換や平滑化処理などを行い他の画像と合体などを行って表示データＤ１を出力する画像合成部２２とを有する。そして，音声データＡＣ１がスピーカＳＰから出力され，表示データＤ１により表示装置ＤＩＳＰに動画が表示される。
【００１５】
図１の画像処理装置１４は，ハードウエア構成により実現することもできるし，マイクロプロセッサとそれにインストールされる画像処理プログラムとによっても実現可能である。
【００１６】
図２は，フルスペックのハイビジョン画像とワンセグ放送対応の画像とを示す図である。フルスペックのハイビジョン画像は，１９２０×１０４０画素の画像データにより構成されるのに対して，ワンセグ放送対応の画像は，３２０×２４０画素の画像データにより構成される。このように画素数を減らして画像のデータ量を減らすことで１セグメントの周波数帯域での放送電波の送出を可能にしている。そして，一般に，ハイビジョン画像として生成されたフレーム画像を単純に間引くことで，ワンセグ放送対応の画像が生成される。ワンセグ放送専用の画像が生成されることはまれである。
【００１７】
放送用の動画像には，図２に示すとおり，自然画像１００内に黒縁された白地のテロップ文字２００が重ねられることがある。図２の例では，テロップ文字２００として「箱根登山鉄道」が自然画像１００に重ねられている。また，別の動画像の例としては，文字やグラフィックで構成されたフリップのみで構成される画像もある。このような画像に対して間引き処理を行うと，画像自体の劣化は避けられないが，自然画像１００の劣化に比較すると文字２００の劣化がひどくなる。つまり，単純な間引き処理により，文字を構成する横線や縦線が不規則に間引かれ，太い線と細い線とが混在した文字画像になってしまう。つまり，文字がつぶれてしまう。このような劣化した文字画像を，ワンセグ放送対応の携帯電話の画面などで拡大表示を行うと，その劣化が強調され著しい画質の低下を伴う。
【００１８】
図３は，本実施の形態における画像処理部の部分的な構成図である。図３の画像処理部１４は，動画データＭＶに対する処理部のみを示しており，ハードウエア構成により実現した場合の例である。復号部２０は，分離された動画データＭＶを復号化して輝度信号Ｙと色差信号Ｕ，Ｖとを点順次で出力する。つまり，動画を構成するフレーム画像の画素毎のＹＵＶ信号がラスタ方向に順番に出力される。この復号部２０は，地上波デジタル放送の圧縮方式であるＨ．２６４に準拠した復号化処理を行う。圧縮方式は，ＭＰＥＧ２，ＭＰＥＧ４などであってもよい。そして，色変換部２２が画像信号Ｙ，Ｕ，ＶをＲＧＢ３原色の画像データに変換する。
【００１９】
この色変換部２２に並列に輝度変化抽出部２４が設けられ，輝度変化抽出部２４は，輝度信号Ｙの変化を監視し，所定の閾値以上の輝度変化が生じる領域を抽出する。輝度信号Ｙはフレーム画像のラスタ方向に並ぶ画素毎の輝度をあらわすので，現在の画素の輝度信号と直前の画素の輝度信号とを比較すると，ラスタ方向の輝度変化の程度を検出することができる。一般に，自然画像の輝度変化は緩やかであるのに対して，テロップ文字やフリップ内の文字，グラフィックスは輝度変化が大きい。特に，テロップ文字は黒枠に白地の場合が多く，黒枠と白地との境界で大きな輝度変化が生じる。
【００２０】
図４は，ラスタ方向の輝度変化の例を示す図である。横軸が画像処理方向であるラスタ方向，縦軸が輝度値Ｙである。輝度変化のうち，文字領域２００で輝度値Ｙが大きく変化しているのがみられる。これは，黒枠（低輝度）と白地（高輝度）との境界で輝度値が大きく変化することに起因する。
【００２１】
輝度信号Ｙが８ビットの場合０〜２５５階調をとりうるが，輝度変化抽出部２４は，たとえば２５６階調の４分の１の６４階調以上の変化が生じる画素の領域を抽出する。急激な輝度の変化の閾値として６４階調以上に設定することが文字の領域を検出するのに適していることが，発明者の経験上判明している。図４の例では，文字領域２００の両端が急激な輝度変化が生じた抽出領域として抽出される。
【００２２】
図３に戻り，色変換部２２が出力するＲＧＢの画像データは平滑化フィルタ２６に入力され，フレームバッファ２８内に格納されている周囲の画素の画像データも平滑化フィルタ２６に入力され，平滑化フィルタ２６は常時，処理中の画素のＲＧＢ画像データに対して平滑化処理を行う。そして，輝度変化抽出部２４が抽出した急激な輝度変化が生じた領域では，セレクタＳＥＬが，平滑化フィルタ２６が出力する平滑化済み画像信号をフレームバッファ２８に格納し，急激な輝度変化が生じてない領域では，色変換部２２が出力する平滑化されていない画像信号をフレームバッファ２８に格納する。そして，フレームバッファ２８に格納されたフレーム画像が表示装置ＤＩＳＰに出力される。
【００２３】
図５は，平滑化フィルタの一例を示す図である。図５（Ａ）は，処理中の画素Ｐｍｎとその８近傍の画素Ｐm-1n-1〜Ｐm+1n+1を含む９個の画素の画像信号を，均等の重み付け「１」で平滑化処理する例である。平滑化処理の演算式が図中に示されているように，９画素の画素信号の平均値が，画素Ｐｍｎの平滑化された画像信号になる。均等な重み付けによる平滑化処理によれば，強い平滑化処理が行われる。しかし，自然画像には平滑化処理したデータを採用しないので，このような強い平滑化処理でも問題はない。むしろ，急激な輝度の変化がある文字画像や幾何学的な画像に対して行われるので，このような強い平滑化処理が好ましい。
【００２４】
図５（Ｂ）は，同様に処理中の画素Ｐｍｎとその８近傍の画素Ｐm-1n-1〜Ｐm+1n+1を含む９個の画素の画像信号に対して，重み付けを「２」「１．５」「１」と割り当てて平滑化処理する例である。平滑化処理の演算式が図中に示されていて，この演算式から明らかなとおり，処理中の画素の重みを重くし周囲の画素の重みを軽くすることで，より穏やかな平滑化が行われる。いずれの平滑化フィルタであっても，急激な輝度変化が緩和され高周波ノイズが除去された画像信号が生成される。
【００２５】
図６は，平滑化フィルタの演算処理に参照する周囲の画素の例を示す図である。図６（Ａ）では，処理中の画素Ｐｍｎに対して処理済みの４つの画素（前行の３画素と同じ行の左の画素）を参照して処理を行う。また，図（Ｂ）では，処理中の画素Ｐｍｎに対して処理済みの３つの画素（前行の２画素と同じ行の左の画素）を参照して処理を行う。重み付け値は，図５の例と同様である。
【００２６】
図５に示したとおり，処理中の画素Ｐｍｎに対して８近傍の画素を参照するためには，８近傍の画素の画像データを蓄積した上でその後平滑化処理を行うことが必要になる。このような処理では，点順次で出力されるＲＧＢ画像データに対して逐次処理を行うことができない。そこで，図６に示したように，処理済みの周囲の画素のみを参照して平滑化処理を行うことで，処理済みの周囲の画素の画像データをフレームバッファ２８から読み出して，処理対象の画素について逐次平滑化処理することができる。
【００２７】
なお，図５（Ｂ）では，処理中の画素とその周囲の画素とで重み付けを異ならせることを示したが，発明者による実験によれば，図５（Ａ）のように重み付けを行わない強めの平滑化処理のほうが良好な結果が得られている。その理由は，自然画像内の文字画像のように急激な輝度変化が生じた領域のみを対象に平滑化処理した画像データを採用するので，自然画像は平滑化されず，より強い平滑化処理が適しているものと考えられる。
【００２８】
また，上記の例では，自然画像のように輝度変化が穏やかな領域では平滑化処理を行わないので，自然画像が平滑化されてぼけた画像になるのを回避することができる。そして，急激な輝度変化が生じた領域のみ平滑化処理した画像データを採用するので，文字領域の抽出が容易であると共に，自然画像内の急激な輝度変化が生じた領域にも平滑化処理を行うことで，そのような領域では画質が向上する。
【００２９】
図３に示したハードウエア構成の場合，平滑化フィルタ２６は高速処理が可能な論理回路で構成することができるので，全ての画素のＲＧＢ画像データに対して平滑化処理を行い，その出力をセレクタＳＥＬで切り替えている。ただし，平滑化フィルタ２６が高速処理に対応できない場合は，たとえば，セレクタＳＥＬを平滑化フィルタ２６の前段に設けて，輝度変化抽出部２４の抽出信号に応答して，色変換部２２の出力を平滑化フィルタ側に切り替えるようにしても良い。こうすることで，平滑化フィルタ２６の処理量が減って，省電力化を図ることができる。
【００３０】
図７は，本実施の形態における画像処理プログラムのフローチャート図である。画像処理装置１４を，汎用プロセッサとそれにインストールされる画像処理プログラムにより構築することもできる。
【００３１】
まず，画像処理プログラムによれば，分離された動画データＭＶを入力し復号化処理を行う（Ｓ１０）。前述したとおり，放送方式の符号化方式に対応した復号化が行われ，地上波デジタル放送の場合はＨ．２６４方式の復号化処理である。そして，１フレームの復号化処理が終了すると（Ｓ１２のＹＥＳ），輝度信号Ｙと色差信号Ｕ，Ｖの画像データが一旦メモリ内に格納される。次に，ＹＵＶ信号をＲＧＢ信号に変換する色変換処理と，Ｙ信号の急激な変化を抽出する処理とが並列に行われる（Ｓ１４）。
【００３２】
そして，輝度の急激な変化を検出したら（Ｓ１６のＹＥＳ），その画素について平滑化処理を行う（Ｓ１８）。輝度の急激な変化がない画素については，平滑化処理は行われない。よって，プロセッサの処理負荷を軽減することができる。色変換されたＲＧＢデータまたは平滑化されたＲＧＢデータをフレームバッファに記憶する（Ｓ２０）。そして，上記の工程Ｓ１４〜Ｓ２０を１フレーム分繰り返す（Ｓ２２のＮＯ）。上記の１フレームの画像に対する処理が動画が終了するまで繰り返される（Ｓ２４）。
【００３３】
画像処理プログラムを実行することにより画像処理を行う場合は，無駄に平滑化処理を行うことがないように，急激な輝度の変化が検出された画素に対してのみ平滑化処理を行う。平滑化処理は，図５，６で説明した処理と同じである。
【００３４】
図８は，文字画像の比較例を示す図である。左側が間引き処理されたワンセグ用の画像を示し，右側がそれを図５（Ａ）の平滑化処理をした後の画像を示す。左側のワンセグ用の画像では，文字の横線の太さにばらつきがありかなり劣化しているが，右側の平滑化済みの画像は，その太さのばらつきが緩和されている。そして，自然画像の部分には平滑化処理が行われないので，ぼけた画像になるのが回避されている。  
【００３５】
以上の実施の形態をまとめると，次の付記のとおりである。
【００３６】
（付記１）間引かれた画像を有する動画データの画像処理装置において，
前記動画データに含まれるフレーム画像の画素毎の輝度がスキャン方向において所定の閾値以上変化する領域を抽出する輝度変化抽出部と，
前記輝度変化抽出部により抽出された領域の画像信号を平滑化処理する平滑化フィルタと，
前記抽出された領域外では前記フレーム画像の画素毎の平滑化処理されていない画像信号を，前記抽出された領域内では前記平滑化処理された画像信号をそれぞれ格納するフレームバッファとを有し，
前記フレームバッファに格納された画像信号を表示装置に出力することを特徴とする画像処理装置。
【００３７】
（付記２）付記１において，
前記間引かれた画像を有する動画データは，地上波デジタル放送において１つのセグメントの周波数帯域で送出される放送用の動画データであり，
さらに，前記放送用の動画データを復号化して輝度信号と色差信号とを出力する復号部と，
前記輝度信号と色差信号とから複数の原色の画像信号とに変換する色変換部とを有し，
前記輝度変化抽出部は，前記輝度信号の変化を抽出し，前記輝度変化抽出部と色変換部とがそれぞれの処理を並列に行うことを特徴とする画像処理装置。
【００３８】
（付記３）付記２において，
前記平滑化フィルタが前記色変換部から出力される原色の画像信号を常時平滑化処理し，
さらに，前記輝度変化抽出部が抽出した領域では，前記平滑化フィルタからの平滑化処理された画像信号を選択し，当該抽出された領域外では，前記色変換部からの画像信号を選択する選択手段を有することを特徴とする画像処理装置。
【００３９】
（付記４）間引かれた画像を有する動画データの画像処理プログラムにおいて，
コンピュータを，
前記動画データに含まれるフレーム画像の画素毎の輝度がスキャン方向において所定の閾値以上変化する領域を抽出する輝度変化抽出部と，
前記輝度変化抽出部により抽出された領域の画像信号を平滑化処理する平滑化フィルタと，
前記抽出された領域外では前記フレーム画像の画素毎の平滑化処理されていない画像信号を，前記抽出された領域内では前記平滑化処理された画像信号をそれぞれフレームバッファに格納する格納手段とに構築し，
前記フレームバッファに格納された画像信号が表示装置に出力されることを特徴とする画像処理プログラム。
【００４０】
（付記５）付記４において，
前記間引かれた画像を有する動画データは，地上波デジタル放送において１つのセグメントの周波数帯域で送出される放送用の動画データであり，
さらに，前記コンピュータを，
前記放送用の動画データを復号化して輝度信号と色差信号とを出力する復号部と，
前記輝度信号と色差信号とから複数の原色の画像信号とに変換する色変換部とに構築し，
前記平滑化フィルタは，前記輝度変化抽出部が抽出した領域の画像信号を平滑化処理し，前記抽出した領域以外の画像信号は平滑化処理しないことを特徴とする画像処理プログラム。
【００４１】
（付記６）付記２において，
前記平滑化フィルタは，処理中の画素の画像信号と，その周囲の前記色変換部が既に出力した複数の画素の画像信号とに所定の平滑化係数を乗算して平滑化処理を行う画像処理装置。
【００４２】
（付記７）付記５において，
前記平滑化フィルタは，処理中の画素の画像信号と，その周囲の前記色変換部が既に出力した複数の画素の画像信号とに所定の平滑化係数を乗算して平滑化処理を行う画像処理プログラム。
【図面の簡単な説明】
【００４３】
【図１】本実施の形態における画像処理装置を有するワンセグ放送用のデジタル放送受信器の構成図である。
【図２】フルスペックのハイビジョン画像とワンセグ放送対応の画像とを示す図である。
【図３】本実施の形態における画像処理部の部分的な構成図である。
【図４】ラスタ方向の輝度変化の例を示す図である。
【図５】平滑化フィルタの一例を示す図である。
【図６】平滑化フィルタの演算処理に参照する周囲の画素の例を示す図である。
【図７】本実施の形態における画像処理プログラムのフローチャート図である。
【図８】文字画像の比較例を示す図である。
【符号の説明】
【００４４】
１４：画像処理装置            ２０：復号部
２２：色変換部                ２４：輝度変化抽出部
２６：平滑化フィルタ
【図１】
2008113124.tif 000003
【図２】
2008113124.tif 000004
【図３】
2008113124.tif 000005
【図４】
2008113124.tif 000006
【図５】
2008113124.tif 000007
【図６】
2008113124.tif 000008
【図７】
2008113124.tif 000009
【図８】
2008113124.tif 000010